(57)【要約】【課題】定量採水機能を有する採水ディスペンサーにおいて、高い精度の体積で採水を行うことができるようにする。【解決手段】流量調節弁と、流量調節弁に対して直列に設けられた流量センサーとを備える純水ディスペンサーにおいて、流量センサーの検出結果から得られる体積が第１の体積となるまで流量調節弁を開く第１の処理と、流量センサーの検出結果から得られる体積が第１の体積とは異なる第２の体積となるまで流量調節弁を開く第２の処理とを実行する。第１の体積と、第２の体積と、第１の処理によって実際に採水された量である第１の量と、第２の処理によって実際に採水された量である第２の量とに基づいて、流量センサーの検出結果と補正後の体積との関係を表わす一次式を特定する２つのパラメータを算出する。定量採水を行なうときは、２つのパラメータに基づいて流量センサーの検出結果を補正する。【選択図】図３
2019027822.tif 000002
【特許請求の範囲】
【請求項１】
純水の採水に用いられる採水ディスペンサーであって、
純水製造装置から純水が供給され、前記純水を吐出するノズルに連通する配管と、
前記配管に設けられた流量調節弁と、
前記配管において前記流量調節弁に対して直列に設けられた流量センサーと、
前記流量調節弁を制御する制御部と、
を有し、
前記制御部は、前記流量センサーの検出結果から得られる体積が第１の体積となるまで前記流量調節弁を開く第１の制御と、前記流量センサーの検出結果から得られる体積が前記第１の体積とは異なる第２の体積となるまで前記流量調節弁を開く第２の制御と、前記第１の制御によって実際に採水された量である第１の量と前記第２の制御によって実際に採水された量である第２の量とが入力されると、前記第１の体積、前記第２の体積、前記第１の量及び前記第２の量に基づいて前記流量センサーの検出結果と補正後の体積との関係を表わす一次式を特定する２つのパラメータを算出する処理と、前記２つのパラメータによって前記流量センサーの検出結果を補正しながら、補正後の検出結果に基づき前記流量調節弁を流れる体積が指定された体積となるまで前記流量調節弁を開弁する定量採水モードの制御と、を実行する採水ディスペンサー。
【請求項２】
前記制御部は、前記流量調節弁を閉状態から開状態に制御するときは前記流量調節弁を流れる流量を第１の流量に制御し、前記流量センサーの検出結果から得られる体積が所定の値になったときに前記流量調節弁を閉じる制御を行なうときは、前記体積が前記所定の値より小さいしきい値に達したときに前記流量調節弁を流れる流量を前記第１の流量よりも小さな流量に絞り、前記体積が前記所定の値に達したときに前記流量調節弁を完全に閉める制御を行なう、請求項１に記載の採水ディスペンサー。
【請求項３】
前記採水ディスペンサーで常用される採水量に基づいて前記第１の量が設定される、請求項１または２に記載の採水ディスペンサー。
【請求項４】
純水製造装置から純水が供給され、前記純水を吐出するノズルに連通する配管と、前記配管に設けられた流量調節弁と、前記配管において前記流量調節弁に対して直列に設けられた流量センサーとを備え、定量採水機能を有する純水ディスペンサーの補正方法であって、
前記流量センサーの検出結果から得られる体積が第１の体積となるまで前記流量調節弁を開く第１の処理と、
前記流量センサーの検出結果から得られる体積が前記第１の体積とは異なる第２の体積となるまで前記流量調節弁を開く第２の処理と、
前記第１の体積と、前記第２の体積と、前記第１の処理によって実際に採水された量である第１の量と、前記第２の処理によって実際に採水された量である第２の量とに基づいて、前記流量センサーの検出結果と補正後の体積との関係を表わす一次式を特定する２つのパラメータを算出する処理と、
を有する補正方法。
【請求項５】
前記２つのパラメータによって前記流量センサーの検出結果を補正しながら、補正後の検出結果に基づき前記流量調節弁を流れる体積が指定された体積となるまで前記流量調節弁を開弁する処理をさらに有する、請求項４に記載の補正方法。
【請求項６】
前記流量調節弁を閉状態から開状態に制御するときは前記流量調節弁を流れる流量を第１の流量とし、
前記流量センサーの検出結果から得られる体積が所定の値になったときに前記流量調節弁を閉じるときは、前記体積が前記所定の値より小さいしきい値に達したときに前記流量調節弁を流れる流量を前記第１の流量よりも小さな流量に絞り、前記体積が前記所定の値に達したときに前記流量調節弁を完全に閉める、請求項４または５に記載の補正方法。
【請求項７】
前記採水ディスペンサーで常用される採水量に基づいて前記第１の量が設定される、請求項４乃至６のいずれか１項に記載の補正方法。
【発明の詳細な説明】
【技術分野】
【０００１】
本発明は、純水製造装置などに接続されて需要に応じて純水などを吐出する採水ディスペンサーに関し、特に、採水ディスペンサーが定量採水機能を有するときの採水量の補正に関する。
【背景技術】
【０００２】
研究機関などにおいて純水を利用する場合、比較的小型の純水製造装置を用いて純水を製造することが多い。そしてユースポイントにおいて純水を例えばビーカー、フラスコ、試験管などに採水するために、純水製造装置に接続する採水ディスペンサーが広く用いられている。採水ディスペンサーは、純水を吐出するノズルと、ノズルへの純水の経路に設けられてノズルに対して純水を供給し、またこの供給を遮断する開閉弁とを備えている。採水ディスペンサーは、通常、純水製造装置の本体とは離れた場所に設けられ、配管によって純水製造装置本体の純水出口に接続される。利用者が開閉弁を操作することによってノズルから純水が吐出し、これにより、利用者はその必要に応じた量で純水を採水することができる。開閉弁としては電磁弁が用いられることが多く、電磁弁を用いる場合には、指で操作できる押しボタンスイッチあるいは足によって操作できる足踏みスイッチ等により電磁弁を制御し、ノズルから純水を吐出させる。さらに採水ディスペンサーでは、流量センサーと電磁弁とを組み合わせ、１回のスイッチ操作があったときに流量センサーによって計測される流量が規定値に達するまで電磁弁を開放することにより、規定容量の純水を採水できるようにする定量採水機能を備えるものが多い。
【０００３】
定量採水機能を有する採水ディスペンサーでは、流量センサーでの検出値によって電磁弁を開閉することになるが、流量センサーにおける固有の検出誤差などのために、吐出を意図した吐出量と実際の液体の吐出量とが異なる場合がある。そこで、利用者が指定した、あるいは採水ディスペンサーに予め設定されている吐出量で液体を吐出できるように、予め流量センサーでの検出値と実際の流量との関係を調べておいて、この関係に基づいて流量センサーでの検出値に対して補正を行い、電磁弁を制御する必要がある。
【０００４】
特許文献１には、通過した流量に応じたパルスを出力する流量計に対する補正係数の算出方法であって、ゼロでないある特定の１つの流量に関して流量計からのパルス数に応じた流量に対する実際に流量計を流れた流量の比を求めて、この比を補正係数Ｋとすることが開示されている。いったん補正係数Ｋが定まれば、それ以降は、流量計からのパルス値に基づく流量に補正係数Ｋを乗じたものを流量の測定値とすればよい。
【先行技術文献】
【特許文献】
【０００５】
【特許文献１】特開平２−２１８９２３号公報
【発明の概要】
【発明が解決しようとする課題】
【０００６】
定量採水機能を有する採水ディスペンサーでは、意図した採水量で純水を採水するためには、採水ディスペンサーに設けられる流量センサーでの測定値に対して補正を行う必要があるが、特許文献１に記載された方法で補正を行った場合には、採水ディスペンサーの定量採水機能に要求される程度に正確な量で採水を行うことができないことがある。
【０００７】
本発明の目的は、定量採水機能を有する採水ディスペンサーであって、高い精度の体積で採水を行うことができる採水ディスペンサーとその補正方法とを提供することにある。
【課題を解決するための手段】
【０００８】
本発明の採水ディスペンサーは、純水の採水に用いられる採水ディスペンサーであって、純水製造装置から純水が供給され、純水を吐出するノズルに連通する配管と、配管に設けられた流量調節弁と、配管において流量調節弁に対して直列に設けられた流量センサーと、流量調節弁を制御する制御部と、を有し、制御部は、流量センサーの検出結果から得られる体積が第１の体積となるまで流量調節弁を開く第１の制御と、流量センサーの検出結果から得られる体積が第１の体積とは異なる第２の体積となるまで流量調節弁を開く第２の制御と、第１の制御によって実際に採水された量である第１の量と第２の制御によって実際に採水された量である第２の量とが入力されると、第１の体積、第２の体積、第１の量及び第２の量に基づいて流量センサーの検出結果と補正後の体積との関係を表わす一次式を特定する２つのパラメータを算出する処理と、２つのパラメータによって流量センサーの検出結果を補正しながら、補正後の検出結果に基づき流量調節弁を流れる体積が指定された体積となるまで流量調節弁を開弁する定量採水モードの制御と、を実行する。
【０００９】
本発明の採水ディスペンサーの補正方法は、純水製造装置から純水が供給され、純水を吐出するノズルに連通する配管と、配管に設けられた流量調節弁と、配管において流量調節弁に対して直列に設けられた流量センサーとを備え、定量採水機能を有する純水ディスペンサーの補正方法であって、流量センサーの検出結果から得られる体積が第１の体積となるまで流量調節弁を開く第１の処理と、流量センサーの検出結果から得られる体積が第１の体積とは異なる第２の体積となるまで流量調節弁を開く第２の処理と、第１の体積と、第２の体積と、第１の処理によって実際に採水された量である第１の量と、第２の処理によって実際に採水された量である第２の量とに基づいて、流量センサーの検出結果と補正後の体積との関係を表わす一次式を特定する２つのパラメータを算出する処理と、を有する。
【発明の効果】
【００１０】
本発明によれば、採水ディスペンサーに備えられる流量センサーの検出結果と補正後の体積との関係を表わす一次式を特定する２つのパラメータを算出し、これに基づいて補正を行うので、比例式に基づくいわゆる１点補正の場合に比べ、高い精度で採水を行うことができる。
【図面の簡単な説明】
【００１１】
【図１】純水製造装置及び採水ディスペンサーの構成を示すフローシートである。
【図２】実施の一形態の採水ディスペンサーの外観の一例を示す斜視図である。
【図３】流量センサーに対する補正パラメータの決定手順を示すフローチャートである。
【図４】定量採水モードでの動作を示すフローチャートである。
【発明を実施するための形態】
【００１２】
次に本発明の実施の形態について、図面を参照して説明する。本発明に基づく採水ディスペンサーは、定量採水機能を備えており、例えば、純水製造装置と組み合わされて純水を採水するために用いられるものである。図１は、本発明の実施の一形態の採水ディスペンサーを純水製造装置に組み合わせた状態を示すフローシートである。
【００１３】
純水製造装置５０は、水道水などが供給されて純水を製造する純水製造部５１と、純水製造部５１の動作を制御する制御装置５２とを備えている。純水製造部５１は、例えば、逆浸透膜やイオン交換装置を備えて供給水から一次純水を製造する一次純水製造装置と、イオン交換装置や限外濾過膜、紫外線酸化装置などからなる循環精製系を有して一次純水の純度をさらに高めるサブシステムとから構成される。純水製造部５１内には各種のセンサー類（不図示）、ポンプ（不図示）及び弁（不図示）が設けられるが、制御装置５２は、センサー類からの信号を受け取り、これに基づいてポンプ（不図示）や弁（不図示）を制御することによって、純水製造部５１の動作の制御を行なう。純水製造部５１の出口には、純水を採水ディスペンサー１０に供給するための複数の出口ポート５３が接続している。出口ポート５３は、純水製造装置５０における採水ディスペンサー１０との接続位置となるポートであり、採水ディスペンサー１０は、例えば、可撓性を有する配管５５によって、いずれかの出口ポート５３に接続される。図示した例では、出口ポート５３が３個設けられており、その各々に採水ディスペンサー１０が接続することによって、合計３台の採水ディスペンサー１０が純水製造装置５０に接続されている。もちろん、出口ポート５３の数は３に限られるものではなく、純水製造装置５０に接続される採水ディスペンサー１０の数も、出口ポート５３の数の範囲内で任意に増減することができる。
【００１４】
次に、採水ディスペンサー１０について説明する。図２は、採水ディスペンサー１０の外観を示している。ただし図２では、純水製造装置との接続に用いられる配管５５や各種の配線は示されていない。採水ディスペンサー１０は、大別すると、ヘッド部１０ａと、本体部１０ｂと、本体部１０ｂから垂直上方に延びてヘッド１０ａを取り外し可能に保持する支柱１０ｃとから構成されており、ヘッド部１０ａと本体部１０ｂとは可撓性を有する配管１４によって接続されている。採水ディスペンサー１０の使用形態として、例えば、実験台の上に整列して置かれた多数の試験管に対して次々と純水を注ぐために用いる、というものがある。このような用途に対応するために、ユーザーによって把持されて所望の位置に動かすことができるヘッド部１０ａを設けて、実際に純水の注ぎ口となるノズル１６をヘッド部１０ａに設けるようにしている。ヘッド部１０ａには、ユーザーが把持するためのハンドル（取っ手）２５が設けられている。また、ヘッド部１０ａを支柱１０ｃに保持したまま小容量から大容量までのメスフラスコやメスシリンダーに純水を採水する必要もあるので、支柱１０ｃにおけるヘッド１０ａの保持位置を可変とするとともに、支柱１０ｃは十分な長さを有する必要がある。
【００１５】
ヘッド部１０ａは、本体部１０ｂから配管１４を介して送られてきた純水をノズル１６から吐出するものであり、図１に示すように、ノズル１６のほかに、配管１４に接続する流路１５を備えており、ノズル１６は、流路１５の末端に設けられている。さらにヘッド部１０ａは、ユーザーの需要に応じて純水を吐出するために、ユーザーによって操作されるスイッチ１８を備えている。ヘッド１０ａには、図２に示すように、ハンドル２５を握ったユーザーがその指で容易に操作できる位置にボタン２６が設けられている。ボタン２６はスイッチ１８（図１参照）に機械的に接続しており、ボタン２６に対する操作によってスイッチ１８が操作されるようになっている。
【００１６】
本体部１０ｂには配管１１が設けられており、配管１１の一端は純水製造装置５０からの配管５５に接続し、他端はヘッド部１０ａへの配管１４に接続している。配管１１には、上流側からすなわち純水製造装置５０に近い側から、流量センサー１２及び流量調節弁１３がこの順で設けられている。さらに本体部１０ｂには、採水ディスペンサー１０の動作を制御する制御部２０と、制御部２０に接続する操作パネル１９とが設けられている。流量調節弁１３は、例えば電磁式のものであって、制御部２０からの信号により弁の開閉を制御できるとともに、その弁を通る純水の流量を変化させることができるものである。流量センサー１２は、例えば、一定の体積（容量）の液体が流れるごとに電気パルスを出力するパルス式のものである。操作パネル１９は、ユーザーからの例えば採水量や採水モードの設定を受け付けるとともに、ユーザーに対して必要な表示を行うものである。採水モードとしては、任意量の採水を可能にする任意量採水モードと、定量採水機能に基づく採水モードであってユーザーが指定した体積の純水をノズル１６から吐出する定量採水モードがあり、さらに、その他の採水モードが設けられていてもよい。
【００１７】
制御部２０は、採水ディスペンサー１０の全体の制御を行うものであり、例えば、ヘッド部１０ａのスイッチ１８を介して入力したユーザーからの採水要求を受け付け、採水モードが定量採水モードである場合には、流量センサー１２で検出された流量の累積値（すなわち体積値）が設定値となるまで流量調節弁１３を開けることにより、その設定値で示される量の純水がヘッド部１０ａに送水されるようにする制御を行う。定量採水モードでの採水の詳細については後述する。採水モードが任意量採水モードである場合には、制御部２０は、スイッチ１８が操作されている期間だけ流量調節弁１３を開ける制御を行う。任意量採水モードの場合、ユーザは、操作パネル１９を介してノズルからの純水の流量（すなわち単位時間当たりの吐出量）を指定することができ、制御部２０は、指定された流量となるように流量調節弁１３を制御する。これは、洗浄びんへの採水など、速度が重視される場合と、メスフラスコへの標線までの採水など、採水操作の正確さが重視される場合とがあるためである。さらに制御部２０は、図示破線で示す配線により純水製造装置５０の制御装置５２に接続しており、制御装置５２から、純水製造装置５０の運転状態に関する情報、特に、製造された純水のＴＯＣ（全有機炭素；total organic carbon）値、抵抗率、温度値などの品質データを取得する。制御部２０は、取得した水質データを所定のフォーマットで操作パネル１９上に表示する。
【００１８】
採水ディスペンサー１０の本体部１０ｂを構成するこれらの要素のうち、配管１１、流量センサー１２、流量調節弁１３及び制御部２０は、図２に示す筺体２１の内部に設けられる。操作パネル１９は、扁平な形状であって、その一端においてヒンジ２３を介して筺体２１に取り付けられている。操作パネル１９の一方の面には、液晶表示パネルとタッチセンサーとを一体化させたタッチパネル２２が設けられている。タッチパネル２２は、ユーザーに対して表示を行なう表示部として機能するとともに、タッチパネル２２上の所定の位置に対してユーザーが触れることにより、ユーザーからの入力を受け付ける。
【００１９】
次に、本実施形態の採水ディスペンサー１０における定量採水モードの詳細について説明する。定量採水モードでは、ユーザーが所望の採水量を設定値Ｌとして設定したときに、制御部２０は、流量調節弁１３を開弁するとともに流量センサー１２からのパルスを計数して通過した液体の体積を算出し、この通過体積が設定値Ｌに達した時点で流量調節弁１３を閉じる制御を行なう。したがって、ノズル１６から吐出される純水の体積の精度は流量センサー１２の精度に依存することになる。本実施形態の採水ディスペンサー１０では、定量採水モードによる採水を行なう前に、例えば、採水ディスペンサー１０の据付時などに、流量センサー１２からのパルスの計数値に対する補正パラメータを求める。本実施形態では、流量センサー１２からのパルスの計数値によって表わされる体積Ｘとし、実際に流量センサー１２を流れた液体の体積をよりよく表わすような補正後の体積をＱとして、式(1)で示す一次式の関係が成り立つように２つの補正パラメータａ，ｂを求める。
【００２０】
Ｑ＝ａ・Ｘ＋ｂ              (1)
本実施形態では、異なる２つの体積値で純水を吐出するように採水ディスペンサー１０を動作させ、それぞれの場合に実際に吐出された純水の体積を計測し、これらの計測結果に基づいて補正パラメータａ，ｂを求める。
【００２１】
図３は、補正パラメータａ，ｂを求める具体的な手順を示している。まず、ステップ１０１において体積Ａ1を設定値Ｌとし、ステップ１０２においてこの設定値Ｌで採水ディスペンサー１０を動作させて純水を吐出させる。ステップ１０３において、吐出させた純水を例えばメスシリンダーに集水してその体積を測定する。実際に測定された体積をＢ1とする。次に、同様に、ステップ１０４において、体積Ａ1とは異なる体積Ａ2を設定値Ｌとし、ステップ１０５において設定値Ｌにより純水ディスペンサー１０を動作させて純水を吐出させ、吐出させた純水の体積Ｂ2をステップ１０６において測定する。以上のように、設定された体積Ａ1，Ａ2にそれぞれ対応する実際に吐出された純水の体積Ｂ1，Ｂ2が測定されたら、ステップ１０７において、式(2), (3)に基づいて、補正パラメータａ，ｂを決定する。
【００２２】
ａ＝(Ｂ1−Ｂ2)／(Ａ1−Ａ2)    (2),
ｂ＝Ｂ1−ａ・Ａ1            (3)
操作パネル１９を介してユーザーが補正パラメータ決定のコマンドを入力すると、制御部２０は、図３に示した処理のうちのステップ１０１，１０２，１０４，１０５，１０７の処理を実行するとともに、操作パネル１９上に、ユーザーに対してステップ１０３，１０６の処理を実行することを促すメッセージを表示し、測定された体積Ｂ1，Ｂ2についてのユーザーからの入力を受け付ける。設定される体積Ａ1，Ａ2は、いずれも０でなく、かつ相互に異なっていればよいが、一方は、この採水ディスペンサー１０においてよく使用される採水量かそれよりもやや大きな値とし、他方は、比較的小さい値とすることが好ましい。一例として、Ａ1＞Ａ2と仮定し、かつ、この採水ディスペンサー１０での定量採水モードにおいてよく使用される採水量あるいは常用される最大の採水量をＶとすれば、Ａ1＝Ｖとするか、すなわち常用量をＡ1とするか、あるいはＡ1＝１．１×Ｖ程度に設定することが好ましい。一方、Ａ2は、Ａ2＝０．１×Ｖ程度に設定することが好ましい。ただし、流量センサー１２がパルス式であり、かつ、０．１×Ｖ程度の体積ではパルス式であることによる量子化誤差が無視できないときには、十分なパルス数が得られるように、Ａ2は０．１×Ｖよりも大きな値とすることが好ましい。体積Ａ1，Ａ2の値は、予め制御部２０にプログラムされていてもよいし、ユーザーによって事前に入力されるようになっていてもよい。採水ディスペンサー１０においてよく使用される採水量が１０００ｍＬであれば、Ａ1は例えば１１００ｍＬに設定され、Ａ2は例えば１００ｍＬに設定される。
【００２３】
次に、ステップ１０２，１０５における採水動作について説明する。ステップ１０２，１０５の処理は、いずれも設定値Ｌで示される体積の純水をノズル１６から吐出させるものであり、定量採水モードでの採水と基本的には同じ処理である。図４は、設定値Ｌで表わされる体積の純水を吐出する処理を示すフローチャートである。既に設定値Ｌが設定されているものとする。
【００２４】
まず、ステップ１１１において、体積測定値Ｐをクリアすなわち０にする。体積測定値Ｐは、流量センサー１２からのパルスを計数することによってすなわち積算することによって得られる体積の値であり、ここでは補正パラメータａ，ｂによる補正を行う前の値である。次に、ステップ１１２において、流量調節弁１３を全開にする。その結果、ノズル１６からの純水の吐出が開始し、流量センサー１２は、流量計測のパルスを発生し続ける。制御部２０は、流量センサー１２からのパルスの計数を継続して行い、設定値ＬからパラメータΔを減算したものとパルスの計数に基づく体積測定値Ｐとを随時比較する（ステップ１１３）。そしてＰ≧Ｌ−Δになるまで、すなわち、設定値ＬからパラメータΔを減算したものに体積測定値Ｐが達するまで、ステップ１１３を繰り返す。設定値ＬからパラメータΔを減算したものに体積測定値Ｐが達すると、ステップ１１４において、制御部２０は、流量調節弁１３の開度を絞って流量調節弁１３を流れる純水の流量を減少させる。これは、体積測定値Ｐが設定値Ｌになったときにいきなり流量調節弁１３を全開から全閉に制御すると、オーバーシュート現象などにより、正確な量の吐出ができなくなるからである。Ｌ−Δは、流量調節弁１３の開度を絞るタイミングを決定するためのしきい値となる。Δの値は、配管１１や流量センサー１２、流量調節弁１３のサイズや構成に基づいて定められる正の値であるが、例えば、設定値Ｌの数％程度の値としたり、流量センサー１２がパルス式のものであれば数十から数百個のパルスに相当するものとしたりすることができる。一例として、設定値Ｌが１０００ｍＬであるような場合において、Δを７０ｍＬとすることができる。
【００２５】
その後、制御部２０は、ステップ１１５において、体積測定値Ｐが設定値Ｌに達したかどうかを判定し、Ｐ≧Ｌとなるまで、すなわち体積測定値Ｐが設定値Ｌに達するまで、ステップ１１５を繰り返す。体積測定値Ｐが設定値Ｌに達したら、制御部２０は、ステップ１１６において、直ちに流量調節弁１３を完全に閉じる。本実施形態では、予め流量調節弁１３の開度が絞られているので、オーバーシュート現象を起こすこともなく、体積測定値Ｐが設定値Ｌに達した時点で完全に純水のノズル１６からの吐出を停止することができる。
【００２６】
次に、補正パラメータａ，ｂを決定した後の定量採水について説明する。定量採水の処理は、上述と同様に図４に示す手順で行なわれる。ただし、設定値Ｌには採水しようとする体積が設定され、体積測定値Ｐとして用いられる値は、上述の式(1)にしたがって随時計算される補正後の体積Ｑである。本実施形態では、設定される体積値Ａ1，Ａ2の２点のそれぞれについて実際の体積Ｂ1，Ｂ2を測定して補正パラメータａ，ｂを決定し、それに基づいて流量センサー１２の検出値に対する補正を行うので、例えば特許文献１に記載されるようないわゆる１点補正の場合に比べ、流量や体積の精度を高めることができる。さらに、パラメータΔを用いて純水の吐出開始時には流量を最大限に大きくし、吐出を停止するタイミングの直前には流量を絞ることにより、吐出時間を徒に長くすることなく、正確な量での吐出が可能となる。またここでは定量採水時の処理を説明したが、補正パラメータａ，ｂに基づいて補正後の体積Ｑを随時算出することを任意量採水モードにおいて行なってもよく、算出されたＱの値を操作パネル１９に表示するようにすれば、ユーザーの利便性がさらに高まる。
【００２７】
本実施形態では、純水製造装置５０に対して３個の採水ディスペンサー１０が接続している。流量センサー１０の誤差は採水ディスペンサー１０ごとに異なるので、補正パラメータａ，ｂは採水ディスペンサー１０ごとに決定し、決定された補正パラメータａ，ｂは採水ディスペンサー１０ごとにその制御部２０に格納される。しかしながら、補正パラメータａ，ｂを決定する作業を工数を減らすために、補正パラメータ決定のコマンドをいずれか１つの採水ディスペンサー１０において入力することで、各採水ディスペンサー１０がいずれも補正パラメータの決定のためのモードに遷移するようにしてもよい。この場合は、コマンドが入力された採水ディスペンサー１０から純水製造装置５０の制御装置５２を介して他の採水ディスペンサー１０にコマンドが転送されることになる。
【符号の説明】
【００２８】
１０      採水ディスペンサー
１０ａ    ヘッド部
１０ｂ    本体部
１２      流量センサー
１３      流量調節弁
１６      ノズル
１８      スイッチ
１９      操作パネル
２０      制御部
５０      純水製造装置
【図１】
2019027822.tif 000003
【図２】
2019027822.tif 000004
【図３】
2019027822.tif 000005
【図４】
2019027822.tif 000006